(57)【要約】【課題】照明器具が消灯、または、点灯しないことで、利用者に火災警報器の電池切れを知らせ、電池切れを放置させないで電池交換を促す。【解決手段】照明器具２へ電源を供給する引掛シーリング４に装着され、照明器具の引掛プラグ６が装着される筐体内に設けられ、火災検出回路１０と、火災検出回路１０の検出レベルから火災を判別する制御回路９と、警報回路と、各回路に電源を供給する電池７と、電池７の出力電圧が所定の電圧以下に低下したことを検出する電圧監視回路１６と、照明器具２への電路を遮断する電路遮断手段１７と、を備える。【選択図】図１
2008204309.tif 000002
【特許請求の範囲】
【請求項１】
上面側が照明器具へ電源を供給する引掛シーリングに装着され、下面側が前記照明器具の引掛プラグが装着される筐体と、この筐体内に設けられ、火災による熱または煙等を検出する火災検出回路と、該火災検出回路の検出レベルから火災を判別する制御回路と、該制御回路の出力に基づいて警報を発する警報回路と、前記各回路に電源を供給する電池と、を備えた照明一体型火災警報器において、
前記電池の出力電圧が所定の電圧以下に低下したことを検出する電圧監視回路と、
前記照明器具への電路を遮断する電路遮断手段と、
を備え、
前記制御回路は、前記電圧監視回路の検出出力に基づいて前記電路遮断手段によって前記照明器具への電路を遮断することを特徴とする照明一体型火災警報器。
【請求項２】
前記照明器具への通電を検出する通電検出回路を備え、
前記制御回路は、前記通電検出回路の検出出力に基づいて、前記電路遮断手段をオンオフして、前記照明器具を一時的に点灯させる一時点灯制御、または、所定周期で前記電路遮断手段をオンオフして所定時間点滅させる点滅制御を行うことを特徴とする請求項１記載の照明一体型火災警報器。
【請求項３】
前記電路遮断手段は、前記照明器具への電源を整流して直流電源を供給する整流回路と、
前記照明器具への電路をオンオフするリレー手段と、
該リレー手段への前記整流回路からの通電を遮断する遮断回路と、
を備え、
前記制御回路は、前記電圧監視回路の検出出力に基づいて前記電路遮断手段を遮断することにより、前記リレー手段をオフし、前記照明器具への電路をオフすることを特徴とする請求項1記載の照明一体型火災警報器。
【発明の詳細な説明】
【技術分野】
【０００１】
この発明は、住宅用の火災警報器を照明器具と一体化させるとともに、火災警報器に内蔵される電池電圧が低下したときに、照明器具が消灯または点灯しないようにして電池切れを知らせる照明一体型火災警報器に関するものである。
【背景技術】
【０００２】
従来、戸建ての住宅火災対策として火災警報器が用いられている。この火災警報器は、熱や煙を検出する火災検出機能を備えるとともに、ブザーあるいは音声警報を行う火災報知機能を備えている。そして設置されている住宅で火災が発生すると、その火災を検出して警報音を鳴動させ、利用者が早期に火災に気が付くことによって火災による死者を防止する。
このような火災警報器を照明器具と組み合わせ、火災警報を照明の点灯等で行うものがある。このとき火災警報が警報音だけでなく、照明によって視覚に訴えることができ、高齢者や聴覚障害者であっても警報を理解できるというメリットがある（例えば、特許文献１参照）。
また、照明器具の引掛シーリングに火災感知器を一体化させることは、従来から多数提案されている（例えば、特許文献２、特許文献３参照）。
【０００３】
【特許文献１】特開２００６−０２４５４２号公報（段落００２２〜００４０、図１）
【特許文献２】実開昭５６−０４１３９０号公報（第１〜第３頁、第１図〜第３図）
【特許文献３】実開昭５７−０９２２９０号公報（第１〜第３頁、第１図）
【発明の開示】
【発明が解決しようとする課題】
【０００４】
住宅用の火災警報器は、取付時に配線作業を不要とし、災害等の停電に影響されないように内部電源としての電池で駆動している。この電池は容量に基づいて寿命があり、例えば５年ごとなど交換する必要がある。しかし、電池の交換時期は失念しやすく、また、電池電圧低下を注意警報しても、利用者が気付いて交換の作業をしなければならず、手間であることから忘れられて放置されるおそれがある。
【０００５】
この発明は、上述のような課題を解決するためになされたもので、照明器具が消灯、または、点灯しないことで、利用者に火災警報器の電池切れを知らせ、電池切れを放置させないで電池交換を促すことを目的とする。
【課題を解決するための手段】
【０００６】
この発明に係る照明一体型火災警報器は、上面側が照明器具へ電源を供給する引掛シーリングに装着され、下面側が前記照明器具の引掛プラグが装着される筐体と、この筐体内に設けられ、火災による熱または煙等を検出する火災検出回路と、該火災検出回路の検出レベルから火災を判別する制御回路と、該制御回路の出力に基づいて警報を発する警報回路と、前記各回路に電源を供給する電池と、を備えた照明一体型火災警報器において、前記電池の出力電圧が所定の電圧以下に低下したことを検出する電圧監視回路と、前記照明器具への電路を遮断する電路遮断手段と、を備え、前記制御回路は、前記電圧監視回路の検出出力に基づいて前記電路遮断手段によって前記照明器具への電路を遮断するものである。
【０００７】
また、前記照明器具への通電を検出する通電検出回路を備え、前記制御回路は、前記通電検出回路の検出出力に基づいて、前記電路遮断手段をオンオフして、前記照明器具を一時的に点灯させる一時点灯制御、または、所定周期で前記電路遮断手段をオンオフして所定時間点滅させる点滅制御を行うものである。
【０００８】
また、前記電路遮断手段は、前記照明器具への電源を整流して直流電源を供給する整流回路と、前記照明器具への電路をオンオフするリレー手段と、該リレー手段への前記整流回路からの通電を遮断する遮断回路と、を備え、前記制御回路は、前記電圧監視回路の検出出力に基づいて前記電路遮断手段を遮断することにより、前記リレー手段をオフし、前記照明器具への電路をオフするものである。
【発明の効果】
【０００９】
この発明によれば、前記電池の出力電圧が所定の電圧以下に低下したことを検出する電圧監視回路と、前記照明器具への電路を遮断する電路遮断手段と、を備え、前記電池の出力電圧が所定の電圧以下に低下したことを検出する電圧監視回路と、前記照明器具への電路を遮断する電路遮断手段と、を備え、前記制御回路は、前記電圧監視回路の検出出力に基づいて前記電路遮断手段によって前記照明器具への電路を遮断するので、照明器具が消えるか、または、点灯しないことで、利用者に火災警報器の電池切れを知らせ、電池切れを放置させないで電池交換を促すことができ、照明一体型火災警報器の機能ダウン状態を、電池交換によって回復させ、常に火災警報器を機能させることができる。
【００１０】
また、前記照明器具への通電を検出する通電検出回路を備え、前記制御回路は、前記通電検出回路の検出出力に基づいて、前記電路遮断手段をオンオフして、前記照明器具を一時的に点灯させる一時点灯制御、または、所定周期で前記電路遮断手段をオンオフして所定時間点滅させる点滅制御を行うので、照明器具が正常と分かり、火災警報器の電池の交換が必要なことを分かるようにすることができる。
【００１１】
また、前記電路遮断手段は、前記照明器具への電源を整流して直流電源を供給する整流回路と、前記照明器具への電路をオンオフするリレー手段と、該リレー手段への前記整流回路からの通電を遮断する遮断回路と、を備え、前記制御回路は、前記電圧監視回路の検出出力に基づいて前記電路遮断手段を遮断することにより、前記リレー手段をオフし、前記照明器具への電路をオフするので、リレー手段の維持を照明器具側の電路を電源とすることができ、火災警報器側の電池による電源を使用しないことから、電池の寿命を長く設定することができる。
【発明を実施するための最良の形態】
【００１２】
実施の形態１．  
図１は、この発明の実施の形態１を示す照明一体型火災警報器の概略構成図、図２は、照明一体型火災警報器のブロック回路図である。
図１において、照明一体型火災警報器１は、照明器具２と同様に、筐体（図示せず）が上面側が天井面３に設けられた引掛シーリング４に装着可能な形状であり、その反対面の下面側にコード５に接続された照明器具２の引掛プラグ６が装着可能なように形成されている。これにより、照明一体型火災警報器１は、上面側が天井面３の引掛シーリング４に装着され、照明器具２のコードに接続された引掛プラグ６が照明一体型火災警報器１の下面側に装着され、照明一体型火災警報器１は、引掛シーリング４と照明一体型火災警報器１のコードに接続された引掛プラグ６の間に挟まれるように取り付けられる。そして、照明器具２への電源は、照明一体型火災警報器１を介して供給される。なお、図１では照明器具２がコード５に接続されているが、コードなしに引掛プラグ６が照明器具２に設けられたものでもよい。
【００１３】
照明一体型火災警報器１の概略構成は、筐体の外周に気流が流入する開口と、その内部において、火災による熱または煙を検出する検出回路と、動作するための電源として電池とを備えている。そして、電池の寿命により電圧が低下したときに、天井面の引掛シーリング４から照明器具２へつながる電路２３を、リレー接点ｒ１によって遮断して、照明器具２が消灯、または、点灯しなくなるようにして利用者に照明一体型火災警報器１の電池切れを知らせる。
【００１４】
図２において、照明一体型火災警報器１は、後述の各内部回路に電源を供給する電池７と、電池７からの電圧を所定電位にして供給する定電圧回路８と、マイコンにより構成され、火災判別や各回路の制御を行う制御回路９と、サーミスタ等の感熱素子を用いた熱、または、光電式等の煙を検出し、その出力を必要に応じて増幅し、制御回路９に出力する火災検出回路１０と、火災検出時に制御回路９からの出力によりスピーカ１１を介して音声警報を行う音声合成回路１２と、音声合成回路１２と同様に、火災検出時に制御回路９からの出力によってＬＥＤ１３を点灯する点灯回路１４と、外部に露出する図示しない押しボタンによるスイッチによって操作入力され、制御回路９が火災検出時には音声合成回路１２による音声警報の停止、または、通常状態では試験的に音声警報の出力の操作入力を行う入力回路１５を備えている。なお、スピーカ１１を介して音声警報を行う音声合成回路１２、ＬＥＤ１３を点灯する点灯回路１４は警報回路を構成する。
【００１５】
また、電池７からの電圧を監視し、所定の電圧以下になると制御回路９に入力を与える電圧監視回路１６と、引掛シーリング４から照明器具２へつながる電路２３をオンオフするリレー接点ｒ１と、リレー接点ｒｌのオフ、オンを切換えるリレーＲｌと、制御回路９からの出力によってリレーＲｌへの通電を遮断する遮断回路１７とを備えている。なお、リレー接点ｒ１と、リレーＲｌと、遮断回路１７とで電路遮断手段を構成する。
【００１６】
次に、この発明の実施の形態１に係る照明一体型火災警報器の動作について説明する。  通常は、各内部回路に電源を供給する電池７の電圧は定電圧回路８により所定電位に保たれる。そして、火災の発生が火災検出回路１０により検出されると、火災検出回路１０の検出レベルから制御回路９は火災かどうかを判別し、火災と判断したときに制御回路９からの火災信号により、音声合成回路１２がスピーカ１１を介して音声警報を行う。また、同時に、点灯回路１４によりＬＥＤ１３を点灯させる。火災の発生を確認後に、音声警報の停止は押しボタンによるスイッチ操作によって入力回路１５に入力されることによって行われる。また、電圧監視回路１６は、電池７の電圧を監視している。
【００１７】
電池７の寿命により所定の電圧以下に低下したときは、電圧監視回路１６は制御回路９に電圧低下信号を入力し、制御回路９は遮断回路１７により、リレーＲｌへの通電を遮断し、リレーＲｌをオフする。そして、リレーＲｌのオフによりリレー接点ｒｌが開放され、電路２３が遮断され、照明器具２が消灯あるいは点灯しなくなる。このことにより、利用者に照明一体型火災警報器１の電池切れを知らせる。
【００１８】
以上のように、上面側が照明器具２へ電源を供給する引掛シーリング４に装着され、下面側が照明器具の引掛プラグ６が装着される筐体と、この筐体内に設けられ、火災による熱または煙等を検出する火災検出回路１０と、火災検出回路１０の検出レベルから火災を判別する制御回路９と、制御回路９の出力に基づいて警報を発する警報回路と、各回路に電源を供給する電池７と、を備えた照明一体型火災警報器１において、電池７の出力電圧が所定の電圧以下に低下したことを検出する電圧監視回路１６と、照明器具２への電路をオンオフするリレー手段と、リレー手段への電池７からの通電を遮断する遮断回路１７と、を備え、制御回路９は、電圧監視回路１６の検出出力に基づいて遮断回路１７を遮断することにより、リレー手段をオフし、照明器具２への電路をオフするので、照明器具２が消灯するか、または、点灯しないことで、利用者に電池７切れを知らせ、電池切れを放置させないで電池交換を促すことができ、照明一体型火災警報器１の機能ダウン状態を、電池交換によって回復させ、常に照明一体型火災警報器１を機能させることができる。
【００１９】
実施の形態２．
実施の形態１では、照明器具が消えたり点灯しないだけでは、火災警報器の電源電圧低下なのか、照明器具の故障なのかが判別できないので、本実施の形態は、照明器具のスイッチをオンとした時に所定時間点滅させることによって、照明器具が正常であることを示すようにしたものである。
【００２０】
図３は、この発明の実施の形態２を示す照明一体型火災警報器のブロック回路図である。図３は実施の形態１の図２にタイマー２５を設けたもので他は同じなので説明を省略する。
この構成において、電池７の寿命により所定の電圧以下に低下したときは、電圧監視回路１６は制御回路９に電圧低下信号を出力する。制御回路９は照明器具２の点灯しているときに、制御回路９はタイマー２５の出力に基づいて所定周期で遮断回路１７をオンオフして、リレーＲｌをオンオフさせて照明器具２を点滅させる点滅制御を行う。このタイマー２５は、電気回路的に設けなくともよく、制御回路９内のマイコンがソフト的に処理してもよい。
【００２１】
なお、照明器具２の点滅する場合には、その分の電池７の電圧が残った状態で照明器具２の電源遮断を行う必要があるので、電池７の電圧低下を判断する所定の電圧に余裕を持たせるように電圧低下を検出するようにする。また、点滅を長時間させないか、点灯時間を少なくする必要がある。
【００２２】
以上のように、制御回路９は、遮断回路１７をオンオフして、照明器具２を所定周期で遮断回路１７をオンオフして所定時間点滅させる点滅制御を行うので、照明器具２の電灯が正常と分かり、照明一体型火災警報器１の電池７の交換が必要なことを分かるようにすることができる。
また、照明器具２がただ点灯しなくなるのではなく、電池の電圧に残り分を持たせて点滅することで所定期間ではあるが周囲が少しでも明るくなるので、まっ暗になることはなく便利である。
【００２３】
実施の形態３．
実施の形態２では、照明器具２点灯の有無にかかわらず、電池７の電圧が所定の電圧以下となれば、制御回路９の出力により、所定の周期で遮断回路１７をオンオフさせるが、照明器具２の消灯時にはオンオフが認識できないので、電池７が消耗するので、本実施の形態は照明器具の点灯時に、一時的に点灯、または、オンオフするようにしたものである。
【００２４】
図４は、この発明の実施の形態３を示す照明一体型火災警報器のブロック回路図である。図４は実施の形態２の図３の照明器具２への電路２３に通電がされているかどうか検出する通電検出回路２６を設けたもので他は同じなので説明を省略する。なお、通電検出回路２６の通電検出時には、図示しないが信号ラインによって、制御回路９に入力される。
【００２５】
この構成において、電池７の寿命により所定の電圧以下に低下したときは、電圧監視回路１６は制御回路９に電圧低下信号を出力する。通電検出回路２６により照明器具２への電路２３の通電が検出され照明器具２が点灯されたときに、制御回路９はタイマー２５の出力に基づいて一時的に遮断回路１７をオンして、リレーＲｌを一時的にオンさせて照明器具２を一時的に点灯させる一時点灯制御、または、制御回路９はタイマー２５の出力に基づいて所定周期で遮断回路１７をオンオフして、リレーＲｌをオンオフさせて照明器具２を点滅させる点滅制御を行う。
【００２６】
以上のように、照明器具２への通電を検出する通電検出回路２６を備え、通電検出回路２６の検出出力に基づいて、一時点灯制御、または、点滅制御を行うので、照明器具２の異常でなく、電池切れであることを利用者に確実に認識させることができる。
【００２７】
実施の形態４．
実施の形態１乃至３では、照明器具２への電路２３の通電を維持させるため、リレーＲ１をオンするのに、電池７を消費してしまう。そのために、本実施の形態は電路２３を遮断するために電路遮断手段が消費する電源を、照明器具２の電源として、火災報知器として使用する電池７の消耗を防ぐようにしたものである。
図５は、この発明の実施の形態４を示す照明一体型火災警報器のブロック回路図である。図５において、実施の形態１の図２と同一部分には同一の符号を付し説明を省略する。
照明器具２への電路２３の交流電源を整流して直流電源を供給する整流回路２４と、整流回路２４とアースの間に接続され、整流回路２４からの直流電源で常時オン状態であり、リレー接点ｒ１を切替えるリレーＲ２と、制御回路９の消灯信号でオンされるスイッチング（ＳＷ）回路１９及びスイッチング（ＳＷ）回路１９によってオンオフされるフォトカプラ１８と、フォトカプラ１８とアースの間に接続されるとともに整流回路２４に接続され、トランジスタ等の組み合わせにより、フォトカプラ１８のオンが停止しても、フォトカプラ１８側に流れる電流を維持し、照明一体型火災警報器１の電池７からの電流が停止しても、リレーＲ２のオフを維持させる保持回路２１からなる遮断回路２０とを備えている。
【００２８】
この構成において、電池の寿命により所定の電圧以下に低下したときは、電圧監視回路１６は制御回路９に電圧低下信号を入力し、制御回路９はスイッチング（ＳＷ）回路１９を消灯信号によりオンさせる。スイッチング（ＳＷ）回路１９のオンにより、フォトカプラ１８がオンし、整流回路２４からの直流電流がフォトカプラ１８と保持回路２１を介してアースに流れ、リレーＲ２への電流は接地され、リレーＲ２はオフとなる。そして、リレーＲ２のオフによりリレー接点ｒｌがオフし、電路２３が遮断され、照明器具２が消灯あるいは点灯しなくなる。このことにより、利用者に照明一体型火災警報器１の電池切れを知らせる。  
このとき、一旦、整流回路２４からの直流電流がフォトカプラ１８と保持回路２１を介してアースに、一旦、流れると、フォトカプラ１８のオンが停止しても、整流回路２４からの直流電流が保持回路２１に流れ続け、リレーＲ２のオフが維持され、電路２３が遮断されるので照明器具２が消灯あるいは点灯しなくなるのが維持される。
【００２９】
以上のように、電路遮断手段は、照明器具２への電源を整流して直流電源を供給する整流回路２４と、照明器具２への電路をオンオフするリレー手段と、リレー手段への整流回路２４からの通電を遮断する遮断回路２０と、を備え、制御回路９は、電圧監視回路１６の検出出力に基づいて遮断回路２０を遮断することにより、リレー手段をオフし、照明器具２への電路２３をオフするので、照明器具２の電路２３を通電させるリレーＲ２の維持を照明器具２側の電路２３を電源とすることができ、照明一体型火災警報器１側の電池７による電源を使用しないことから、電池７の寿命を長く設定することができる。
また、照明器具２の電路２３側と照明一体型火災警報器１側との電源を、フォトカプラ１８を用いることで切り分けているので、照明一体型火災警報器１の動作の信頼性を向上させることができる。
【００３０】
また、遮断回路２０は、電圧監視回路１６の検出出力に基づいてオンされるスイッチング回路１９と、スイッチング回路１９のオンによってオンし、整流回路２４からの直流電流をアースに流し、リレー手段への通電を遮断するフォトカプラ１８と、フォトカプラ１８がオフしても、整流回路２４からの直流電流をアースに流し、リレー手段への通電の遮断を保持する保持回路２１と、を備えたので、照明器具２の電路２３を通電させるリレーＲ２の維持を照明器具２側の電路２３を電源とすることができ、照明一体型火災警報器１側の電池７による電源を使用しないことから、電池７の寿命を長く設定することができる。
【００３１】
なお、保持回路２１にタイマーを備え、タイマーの出力に基づいて、保持回路２１による保持と解除を一時的に行い照明器具２を一時的に点灯させ、または、保持と解除を所定周期で行い所定時間点滅させるようにして、利用者に電池７切れを知らせ、電池切れを放置させないで電池交換を促すことができる。
また、上記実施の形態は、それぞれ必要な部分を組合わせて実施できることはもちろんである。
【図面の簡単な説明】
【００３２】
【図１】この発明の実施の形態１を示す照明一体型火災警報器の概略構成図である。
【図２】この発明の実施の形態１を示す照明一体型火災警報器のブロック回路図である。
【図３】この発明の実施の形態２を示す照明一体型火災警報器のブロック回路図である。
【図４】この発明の実施の形態３を示す照明一体型火災警報器のブロック回路図である。
【図５】この発明の実施の形態３を示す照明一体型火災警報器のブロック回路図である。
【符号の説明】
【００３３】
１  照明一体型火災警報器、２  照明器具、４  引掛シーリング、６  引掛プラグ、７  電池、９  制御回路、１０  火災検出回路、１２  音声合成回路、１６  電圧監視回路、１７  遮断回路、１８  フォトカプラ、１９  スイッチング回路、２０  遮断回路、２１  保持回路  、２３  電路、２４  整流回路、２５  タイマー、２６  通電検出回路、ｒ１  リレー接点、Ｒ１、Ｒ２  リレー。
【図１】
2008204309.tif 000003
【図２】
2008204309.tif 000004
【図３】
2008204309.tif 000005
【図４】
2008204309.tif 000006
【図５】
2008204309.tif 000007